(57)【要約】【課題】蒸気タービンを改良すること。【解決手段】蒸気タービンのための流入段、特に調整段であって、当該流入段はロータに蒸気を当てるためのノズル・リング（２；３；４）を備え、当該ノズル・リングは円周方向に隣接して設けられるノズル（２．１，２．２，２．３，２．４；３．１，３．２，３．３，３．４）を有し、当該ノズルはノズル・ボックスに設けられている流入段において、前記ノズル・リングは前記ノズルを通過する蒸気の質量速度が前記ノズル・リングの円周にわたってほぼ一定であるように形成されている。【選択図】図１
2010144717.tif 000002
【特許請求の範囲】
【請求項１】
蒸気タービンのための流入段、特に調整段であって、
当該流入段は、ロータに蒸気を当てるためのノズル・リング（２；３；４）を備え、
当該ノズル・リングは、円周方向に隣接して設けられるノズル（２．１，２．２，２．３，２．４；３．１，３．２，３．３，３．４）を有し、
当該ノズルは、ノズル・ボックスに設けられている流入段において、
前記ノズル・リングは、前記ノズルを通過する蒸気の質量速度が前記ノズル・リングの円周にわたってほぼ一定であるように形成されていることを特徴とする流入段。
【請求項２】
前記ノズル・リング（２；４）の前記ノズルの大きさ（ｔ２．３，ｔ２．４）および／または距離は、当該ノズル・リングの円周にわたって互いに異なっており、
それにより、蒸気の質量速度は、前記ノズル・リングの円周にわたってほぼ一定であることを特徴とする請求項１に記載の流入段。
【請求項３】
前記ノズル・リング（２；４）の前記ノズルの大きさ（ｔ２．３，ｔ２．４）は、前記ノズル・リング内への蒸気の入口に向かって減少することを特徴とする請求項２に記載の流入段。
【請求項４】
前記ノズル・リングの前記ノズル同士の距離は、前記ノズル・リング内への蒸気の入口に向かって増加することを特徴とする請求項２または３に記載の流入段。
【請求項５】
前記ノズル・リングにおいて前記蒸気の流速は、前記ノズル・リングの円周にわたってほぼ一定であることを特徴とする請求項２から４のいずれか一項に記載の流入段。
【請求項６】
前記ノズル・ボックスの内部輪郭は、蒸気の質量速度が当該リング部分の円周にわたってほぼ一定となるように形成されていることを特徴とする請求項１から５のいずれか一項に記載の流入段。
【請求項７】
前記ノズル・ボックスの水力内径（ａ３．１，ａ３．２）は、円周方向において、特に当該ノズル・ボックスの円周全体にわたって蒸気の入り口から減少することを特徴とする請求項６に記載の流入段。
【請求項８】
前記ノズル・リングにおいて前記蒸気のメリディアン分速度は、前記ノズル・リングの円周にわたってほぼ一定であることを特徴とする請求項１から７のいずれか一項に記載の流入段。
【請求項９】
前記ノズル・リングは少なくとも二つ、特に少なくとも四つの選択的に制御可能なリング部分（２；３；４）を有しており、
少なくとも一つのリング部分は、蒸気の質量速度が当該リング部分の円周にわたってほぼ一定であるように形成されていることを特徴とする請求項１から８のいずれか一項に記載の調整段。
【請求項１０】
請求項１から９のいずれか一項に記載の流入段を備える蒸気タービンであって、
当該蒸気タービンはロータと、調整ホイールに蒸気を当てるためのノズル・リングを有しており、
前記ノズル・リングは、蒸気の質量速度が前記ノズル・リングの円周にわたってほぼ一定であるように形成されている蒸気タービン。
【発明の詳細な説明】
【技術分野】
【０００１】
本発明は蒸気タービンのための流入段、特に調整段に関する。当該流入段は、ロータに蒸気を当てるためのノズル・リングを備え、当該ノズル・リングは、円周方向に隣接して設けられるノズルを有し、当該ノズルは、ノズル・ボックスに設けられている。
【背景技術】
【０００２】
例えば特許文献１から、請求項１のおいて書き部に記載の複数の流入段を備える蒸気タービンが知られている。このような蒸気タービンの調整段にとって典型的な方法で、ノズル・リングは、複数のリング部分またはノズル・セグメントを有しており、当該リング部分またはノズル・セグメントは、弁を介して選択的に制御可能であり、それにより一つまたは複数のリング部分を遮断することによってタービンを制御し、このように目標を定めて部分負荷動作領域においても運転を行う。
【０００３】
特許文献１において概略的にのみ示されている部分リングは、それぞれノズル・ボックスを有しており、当該ノズル・ボックス内には、複数のノズルが円周方向に隣接して設けられている。図１（ａ）には、社内の実践から知られているように、複数のノズルもしくはノズル部分１．１から１．４を有して成る左上のノズル・ボックス１が示されている。蒸気は、当該ノズル・ボックス内にほぼ垂直に流入し、当該ノズル・ボックスの内部輪郭を介して個々のノズルにガイドされ、当該ノズルを介して軸方向に流出し、それによってノズル・リングの背面において調整ホイールに当たる。円周にわたって配分されて設けられている４個のノズル・ボックスのそれぞれを目標を定めて遮断することによって、調整ホイールには、四分円ごとに蒸気が当てられる。
【０００４】
このとき円周方向における水力直径は、特許文献１および図１（ａ）から分かるように、蒸気の入り口の外側の領域において一定である。個々のノズルの大きさと個々のノズル同士の距離も、円周にわたって一定である。
【０００５】
このような従来のノズル・リングでは、特に摩擦損失および転向損失ならびに蒸気の死角および蒸気の逆流によって、円周にわたって質量速度が非常に不均一なものとなる。従って、特許文献１のノズル・セグメントと同様に、図１（ａ）に示されているリング部分においても、蒸気の入り口から最も遠く離れているノズルに到達する蒸気は少なくなり、それによって不利なことに、ノズルおよび当該ノズルの背面側に設けられているロータの負荷が不均一となり、蒸気タービンの効率が低下する。
【先行技術文献】
【特許文献】
【０００６】
【特許文献１】国際公開第２００６／０２４５９７号パンフレット
【発明の概要】
【発明が解決しようとする課題】
【０００７】
従って、本発明の課題は、蒸気タービンを改良することである。
【課題を解決するための手段】
【０００８】
前記の課題を解決するために、請求項１のおいて書き部に記載の流入段は、当該請求項１に記載の特徴によって改良されている。請求項１０は、少なくとも一つの上述のような流入段を備える蒸気タービンについて保護を請求している。従属請求項は、有利なさらなる構成に関する。
【０００９】
蒸気タービンのための流入段は、単独または複数の部分から成ると共に、貫流方向において当該ノズル・リングの後段に設けられているロータに対して、円周方向に隣接して設けられた複数のノズルによって蒸気を当てるノズル・リングを有しており、当該ノズルは、ノズル・ボックスに設けられている。個々のノズルは、同じようにノズル・ボックスと一体的に形成可能またはノズル・ボックスに着脱自在または着脱不能に固定されており、特にガイド翼によって画定され得る。
【００１０】
本発明におけるノズル・リングは、平面図において、以下のように構成されている。すなわちノズルを通過する蒸気の質量速度が円周にわたってほぼ一定であるように構成されるのである。これにより、蒸気タービンの効率は、改善され、ロータとノズルとの負荷は、円周にわたってより均一に配分される。
【００１１】
質量速度は、例えば蒸気ボイラーのノズル・リングに供給される蒸気の密度と、蒸気の流速、特に当該流速の経線方向成分と、個々のノズルの配分および形成と、に依存している。従って、当業者は、本発明に係る一定の蒸気の質量速度を、特にこれらのパラメータの一つまたは複数を相応に構成することによって実現することができる。
【００１２】
例えば本発明の好適な実施の形態において、ノズル・リングのノズルの大きさおよび／または距離は、当該ノズル・リングの円周にわたって互いに異なっており、それにより、蒸気の質量速度は、ほぼ一定になっている。
【００１３】
このためにノズル・リングのノズルの経線方向の大きさ、すなわち水力直径は、ノズル・リング内への蒸気の入り口に向かって好適には単調に、特に狭義単調減少していてもよい。何故ならば、通常、当該蒸気の入り口付近ではノズル・リングにおける蒸気の質量速度が最高になる一方、当該蒸気の質量速度は上記のような流動損失のために上記の入り口からより離れているノズルに向かって減少するからである。この点は、これらのより離れているノズルがより大きな水力直径を有することによって補償され、それにより、損失によって蒸気の速度が少なくなったとき、より大きな水力直径との乗算において、通過面と当該通過面に対して垂直な流速との積として、再び同一の蒸気の質量速度が得られる。
【００１４】
さらにまたはあるいは、ノズル・リングのノズルの距離は、ノズル・リング内への蒸気の入り口に向かって好適には単調に、特に狭義単調増加していてもよい。これにより、損失によって蒸気の流速が少なくなっている領域において、より多くのノズルが設けられ、当該ノズルを介してより多くの蒸気がより小さな速度で通過し、それによって再びほぼ同一の、円周にわたって一定の質量速度を有することができる。
【００１５】
ノズル部分同士の距離を互いに相応に変化させることによって、有利な方法でノズル・リングからの流出および、それによってノズル・リングにおける蒸気の流速を円周にわたってほぼ一定に調整することができる。
【００１６】
さらにまたはあるいは、ノズル・ボックスの内部輪郭は、蒸気の質量速度がノズル・ボックスの円周にわたってほぼ一定であるように形成されていてよい。例えばノズル・ボックスの水力内径は、円周方向において、特に当該ノズル・ボックスのほぼ円周全体にわたって、蒸気の入り口から好適には単調に、特に狭義単調減少していてもよい。このとき（狭義）単調減少するとは、当業者の間で通常の方法で、例えばノズルの大きさやノズルの距離や内部輪郭の直径などのパラメータを変化させることであり、当該変化において、当該パラメータは、円周方向において後ろの位置では円周方向において前の位置におけるよりも、常により小さい（狭義単調）、もしくは、より小さいか等しい（単調）。特に蒸気の入り口からより遠くのノズルに向かって細くなるように形成された内部輪郭を備えるこのようなノズル・ボックスにおいて、有利な方法で蒸気の経線方向の速度は、ノズル・リングにおいて当該ノズル・リングの円周にわたってほぼ一定に調整され得る。
【００１７】
本発明に係る流入段は、特に調整段として形成されていてもよく、当該調整段のノズル・リングは、少なくとも二つ、特に少なくとも四つの選択的に制御可能なリング部分を有している。そのとき好適には少なくとも一つのリング部分、好ましくは複数のリング部分、特に全てのリング部分は、蒸気の質量速度が当該リング部分の円周にわたってほぼ一定であるように形成されている。
【００１８】
さらなる有利点および特徴は、従属請求項と実施の形態に記載されている。当該実施の形態に関して部分的に概略化して以下の通りに示すものである。
【図面の簡単な説明】
【００１９】
【図１】（ａ）は、社内の実践による調整段の左上リング部分に対応する部分を示す横断面図であり、（ｂ）は、本発明の第１の実施の形態による調製段の左下リング部分を示す横断面図であり、（ｃ）は、本発明の第２の実施の形態による調製段の右上リング部分を示す横断面図であり、（ｄ）は、本発明の第３の実施の形態による調製段の右下リング部分を示す横断面図である。
【発明を実施するための形態】
【００２０】
図は全体として円周に沿って四つのリング部分またはノズル・ボックス１から４を示しており、これによって個々のリング部分を、ノズル・ボックス内への個々の蒸気の入り口に設けられている（図に示されていない）弁を介して、目標を定めて遮断することによって、部分負荷動作領域において調整された状態で蒸気タービンを運転することができる。本発明において、調整とは、測定値のフィードバックが行われない純粋な開ループ制御をいう。このとき個々の図は、より良い表示のために異なる実施の形態によるリング部分を共に示しており、個々の実施の形態においてその他の三つのリング部分は、当該個々の実施の形態のリング部分に置き換えて考えるべきものである。
【００２１】
図１（ａ）は、前記の社内の実践から知られている調整段の左上リング部分１を示している。調整段は、すでに述べたように、同一構造の四つのリング部分を有しており、そのために図１（ｂ）〜（ｄ）の部分を、当該図１（ｂ）〜（ｄ）の部分に対応して反映させた図１（ａ）によって置き換えることによって、貫流方向における調整段全体が成立する。
【００２２】
図１（ａ）には、四つのノズル、すなわちノズル部分１．１から１．４が示されており、ｔ１．３＝ｔ１．４によって、円周方向における対応するノズル部分の大きさが示されている。ａ１．１＝ａ１．２によって円周方向において蒸気の入り口の外側の二つの異なる箇所における水力による流れ直径が示されている。
【００２３】
知られているリング部分１において、円周方向における全てのノズル部分の大きさと、蒸気の入り口の外側における水力による流れ直径は、一定であることがわかる。流動損失によって流速の配分は、著しく不均一になり、それによって質量速度の配分も不均一となる。当該質量速度は、単位時間あたりに個々のノズルを通過する蒸気量を表している。
【００２４】
前記の理由により、本発明の第１の実施の形態では、同一構造の四つのリング部分２におけるノズルの大きさが異なっている。当該四つのリング部分のうち、左下リング部分は、図１（ｂ）に示されている。図１（ｂ）から分かるように、円周方向におけるノズルの大きさは、蒸気の入り口を起点として当該蒸気の入り口からより遠いノズルに向かって狭義単調増加し、それによって特にｔ２．４＞ｔ２．３が当てはまる。より大きなノズルは、以下のように実現することもできる。すなわち、これらのノズルの領域において同じ大きさの個々のノズルを他の領域におけるよりも多く設け、それによってノズル・リングのこれらのノズル同士の距離は、蒸気の入り口に向かって増大する。蒸気の入り口からより離れているリング部分２の領域には、より多くの、もしくはより大きなノズルが設けられているため、損失のためにより小さくなった流速は、当該境界領域において補償され、それによって、蒸気の質量流量は、円周にわたってほぼ一定となる。
【００２５】
本発明の第２の実施の形態では、同一構造の四つのリング部分３のノズル・ボックスの内部輪郭は、蒸気の質量速度が当該リング部分の円周にわたってほぼ一定となるように形成されている。当該四つのリング部分のうち、右上リング部分が図１（ｃ）に示されている。このために、ノズル・ボックスの水力内径は、円周方向において、当該ノズル・ボックスの円周全体にわたって蒸気の入り口から狭義単調減少し、それによって特にａ３．１＜ａ３．２が当てはまる。それにより、蒸気の入り口からより離れているリング部分３の領域において蒸気は、加速され、それにより、損失による流速の減少は、当該境界領域において補償され、蒸気の質量流量は、円周にわたってほぼ一定となる。
【００２６】
本発明の第３の実施の形態では、第１の実施の形態と第２の実施の形態が組み合わされ、それによって右下リング部分が図１（ｄ）に示されている同一構造の四つのリング部分４において、円周方向におけるノズルの大きさは蒸気の入り口を起点として当該蒸気の入り口からより遠いノズルに向かって増加し、それに対してノズル・ボックスの水力内径は減少する。
【符号の説明】
【００２７】
１  リング部分
１．１，１．２，１．３，１．４  ノズル
２  リング部分
２．１，２．２，２．３，２．４  ノズル
３  リング部分
３．１，３．２，３．３，３．４  ノズル
４  リング部分
ａ１．１，ａ１．２  
ａ３．１，ａ３．２  水力内径
ｔ１．３，ｔ１．４
ｔ３．４，ｔ３．４  ノズルの大きさ
【図１】
2010144717.tif 000003